(57)【要約】  本発明は、長手方向（Ｌ）に延びており、かつ、周方向（Ｃ）及び半径方向（Ｒ）を有する筆記具（１０）に関する。筆記具（１０）は、第１バレル（１２）と、第２バレル（１４）と、第１バレル（１２）を第２バレル（１４）と組み付けるための自己固定組付システムとを含む。自己固定組付システムは、第２バレル（１４）に対して、第１バレル（１２）を長手方向（Ｌ）に固定するための固定手段と、固定手段をロックするためのロック手段とを含む。ロック手段は、第１バレル（１２）に形成されたスロット（４２）と、第２バレル（１４）が有する２つの傾斜部（４８）とを含む。スロット（４２）は、長手方向（Ｌ）に延びており、かつ、２つの長手方向端（４４）を有する。２つの傾斜部（４８）は、第１バレル及び第２バレルを組み付けるときに、スロット（４２）の２つの長手方向端が周方向（Ｃ）について次第に離れるように構成されている。筆記具（１０）は、長手方向（Ｌ）に延びているとともに２つの傾斜部（４８）の間に形成された窓部（５０）と、少なくとも一部が窓部（５０）に収容されているサイドボタン（２０）とを含む。窓部（５０）は、サイドボタン（２０）をガイドするためのガイド表面（５２）を含む。【選択図】図１
2019509911.tif 000002
【特許請求の範囲】
【請求項１】
長手方向（Ｌ）に延びており、かつ、周方向（Ｃ）及び半径方向（Ｒ）を有する筆記具（１０）であって、
前記筆記具（１０）は、第１バレル（１２）と、第２バレル（１４）と、前記第１バレル（１２）及び前記第２バレル（１４）を互いに組み付けるための自己固定組付システムとを含み、
前記自己固定組付システムは、前記第２バレル（１４）に対して、前記第１バレル（１２）を前記長手方向（Ｌ）に固定するための固定手段と、前記固定手段をロックするためのロック手段とを含み、
前記ロック手段は、前記第１バレル（１２）に配置されたスロット（４２）と、前記第２バレル（１４）が有する２つの傾斜部（４８）とを含み、
前記スロット（４２）は、前記長手方向（Ｌ）に延びており、かつ、２つの長手方向端（４４）を有し、
前記２つの傾斜部（４８）は、前記第１バレル（１２）及び前記第２バレル（１４）を組み付けるときに、前記スロット（４２）の前記２つの長手方向端（４４）が前記周方向（Ｃ）について次第に離れるように構成されており、
前記筆記具（１０）は、前記長手方向（Ｌ）に延びているとともに前記２つの傾斜部（４８）の間に配置された窓部（５０）と、少なくとも一部が前記窓部（５０）に収容されているサイドボタン（２０）とを含み、
前記窓部（５０）は、前記サイドボタン（２０）をガイドするためのガイド表面（５２）を含む、筆記具（１０）。
【請求項２】
前記固定手段は、前記ロック手段によって前記周方向（Ｃ）に変形する、請求項１に記載の筆記具（１０）。
【請求項３】
前記固定手段は、少なくとも１つの環状リブ（４６）と、少なくとも１つの環状溝（５４）とを含み、
前記第１バレル（１２）が前記環状リブ（４６）を有し、かつ前記第２バレル（１４）に前記環状溝（５４）が形成されており、又は、その反対であり、
前記環状リブ（４６）及び前記環状溝（５４）は、一方を他方に嵌合することによって協働する、請求項１又は２に記載の筆記具（１０）。
【請求項４】
前記２つの傾斜部（４８）は、前記第１バレル（１２）及び前記第２バレル（１４）を互いに組み付けるときに、前記スロット（４２）の前記２つの長手方向端（４４）が前記周方向（Ｃ）について次第に離れ、これにより、前記環状リブ（４６）が前記環状溝（５４）の内部の位置でロックされるように構成されている、請求項１〜３のいずれか１項に記載の筆記具（１０）。
【請求項５】
前記半径方向（Ｒ）における前記傾斜部（４８）の最大厚さ（ｅ１）は、前記半径方向（Ｒ）における前記第２バレル（１４）と組み付けるための前記第１バレル（１２）の組付端部の厚さ（ｅ２）より大きい、請求項１〜４のいずれか１項に記載の筆記具（１０）。
【請求項６】
前記第１バレル（１２）の一部は、前記第２バレル（１４）に収容されており、
前記傾斜部（４８）は、前記第２バレル（１４）の内部に向かって、前記半径方向（Ｒ）に突出しており、かつ、前記スロット（４２）の前記２つの長手方向端（４４）が前記周方向（Ｃ）に離れるように、前記スロット（４２）の前記２つの長手方向端（４４）の間に配置されている、請求項１〜５のいずれか１項に記載の筆記具（１０）。
【発明の詳細な説明】
【技術分野】
【０００１】
本開示は、筆記具に関し、特に、筆記具の２つのバレルを互いに組み付けるためのシステムに関する。
【背景技術】
【０００２】
例えば、２つのバレルは、それらを螺合することによって、又は、それぞれのバレルの外部若しくは内部に形成されたリブと溝とのスナップ嵌めによって、互いに組み付けられていてもよい。
【０００３】
しかし、２つのバレルは、比較的容易に互いに分離することがある。このように、２つのバレルは、望ましくないとき、例えば使用中に分離してしまうおそれがあった。
【発明の概要】
【発明が解決しようとする課題】
【０００４】
本開示は、これらの問題を少なくとも部分的に改善しようとする。
【課題を解決するための手段】
【０００５】
この目的のため、本開示は、
長手方向に延びており、かつ、周方向及び半径方向を有する筆記具であって、
筆記具は、第１バレルと、第２バレルと、第１バレル及び第２バレルを互いに組み付けるための自己固定組付システム（un systeme d’assemblage autobloquant）とを含み、
自己固定組付システムは、第２バレルに対して、第１バレルを長手方向に固定するための固定手段（un dispositif de blocage）と、固定手段をロックするためのロック手段（un dispositif de verrouillage）とを含む、筆記具を提供する。
【０００６】
第１バレルが第２バレルに組み付けられているとき、第１バレルを第２バレルに固定するための手段は、自己固定組付システムのロック手段によってロックされているため、２つのバレルは、比較的分離しにくい。したがって、２つのバレルが意図せずに分離する可能性が低い。
【０００７】
筆記具は、いかなるタイプのものであってもよいことに留意すべきである。
【０００８】
固定手段は、ロック手段によって周方向に変形してもよい。
【０００９】
固定手段の周方向における変形によれば、固定手段を解除することが比較的難しい。
【００１０】
固定手段は、少なくとも１つの環状リブと、少なくとも１つの環状溝とを含んでいてもよい。第１バレルが環状リブを有し、かつ第２バレルに環状溝が形成されていてもよく、その反対であってもよい。環状リブ及び環状溝は、一方を他方に嵌合することによって協働する。
【００１１】
２つのバレルのうちの１つにそれぞれ位置するリブ及び溝が嵌合により協働することによって、単純な方法で固定手段を形成している。
【００１２】
「環状」の語は、リブ又は溝が、リングの形状又はリングの一部の形状であることを規定している。
【００１３】
嵌合による協働は、相補的な形状である環状リブ及び環状溝によって実現されてもよい。
【００１４】
さらに、環状リブ又は環状溝が固定手段によって周方向に変形するとき、リブと溝とがますます嵌合する。これにより、固定手段がロックされる。
【００１５】
ロック手段は、第１バレルに配置されたスロット（une fente）と、第２バレルが有する２つの傾斜部（deux rampes）とを含んでいてもよい。スロットは、長手方向に延びており、かつ、２つの長手方向端を有している。２つの傾斜部は、第１バレル及び第２バレルを組み付けるときに、スロットの２つの長手方向端が周方向について次第に離れるように構成されている。
【００１６】
２つのバレルを互いに組み付け終わるときに、固定手段がロックされることに留意すべきである。
【００１７】
２つの傾斜部は、第１バレル及び第２バレルを互いに組み付けるときに、スロットの２つの長手方向端が周方向について次第に離れ、これにより、環状リブが環状溝の内部の位置でロックされるように構成されていてもよい。
【００１８】
２つのバレルを互いに組み付ける運動は、第２バレルに対する第１バレルの直線運動を含む。直線運動によれば、２つのバレルを互いに対して固定することができ、組み付けが終わるときに固定手段をロックすることができる。このように、直線運動は、第２バレルに対する第１バレルの単一の運動である。第２バレルに対する第１バレルの連続運動において、第２バレルに対する第１バレルの運動が終わるときに、固定手段がロックされる。
【００１９】
２つのバレルを互いに組み付ける前において、２つの傾斜部の最大間隔は、スロットの２つの長手方向端の最大間隔よりも大きい。これらの間隔は、周方向で比較される。例えば、周方向における２つの傾斜部の間隔は、傾斜部の互いに対向している２つの長手方向端部の間を長手方向に沿って移動するにつれて増加又は減少する。
【００２０】
半径方向における傾斜部の最大厚さは、半径方向における第２バレルと組み付けるための第１バレルの組付端部（d’une extremite d’assemblage）の厚さより大きくてもよい。
【００２１】
例えば、傾斜部の最大厚さは、第１バレルの組付端部の厚さ以上であってもよい。
【００２２】
筆記具は、長手方向に延びているとともに２つの傾斜部の間に配置された窓部（un fenetre）と、少なくとも一部が窓部に収容されているサイドボタンとを含んでいてもよい。窓部は、サイドボタンをガイドするためのガイド表面を含んでいてもよい。
【００２３】
第１バレルの一部は、第２バレルに収容されていてもよい。傾斜部は、第２バレルの内部に向かって、半径方向に突出していてもよく、スロットの２つの長手方向端が周方向に離れるように、スロットの２つの長手方向端の間に配置されていてもよい。
【００２４】
本発明の他の特徴及び利点は、添付の図面を参照し、非限定的な例として示される本発明の実施形態に関する以下の説明に示される。
【図面の簡単な説明】
【００２５】
【図１】図１は、自己固定組付システムを含む筆記具の斜視図である。
【図２】図２は、図１の筆記具のII-II平面における断面図である。
【図３】図３は、第１視点から見た図１の筆記具の一部分解斜視図である。
【図４】図４は、第２視点から見た図１の筆記具の一部分解斜視図である。
【図５】図５は、第１バレルの一端の斜視図である。
【図６Ａ】図６Ａは、図６ＢのVIA-VIA平面における第１バレルの部分断面図である。
【図６Ｂ】図６Ｂは、図５のVIB-VIB平面における第１バレルの部分断面図である。
【図７】図７は、第２バレルの斜視図である。
【図８Ａ】図８Ａは、図７のVIIIA-VIIIA平面における第２バレルの断面図である。
【図８Ｂ】図８Ｂは、図８ＡのVIIIB-VIIIB平面における第２バレルの断面図である。
【発明を実施するための形態】
【００２６】
図１は、長手方向Ｌに延びており、かつ、周方向Ｃ及び半径方向Ｒを有する筆記具１０を示している。
【００２７】
一般的には、長手方向は、バレルの軸Ｌの方向に相当し、半径方向Ｒは、長手方向Ｌに直交する方向である。周方向Ｃは、長手方向Ｌを軸として輪を描く方向に相当する。これら３つの方向、長手方向、半径方向及び周方向（又は方位方向）は、それぞれ、円筒座標系の高さ、半径及び角度によって定義される方向に相当する。最後に、異なる説明がない限り、「内側」及び「外側」といった形容詞は、半径方向に関連して用いられており、部品の内側部分（すなわち、半径方向の内側部分）は、同じ部品の外側部分（すなわち、半径方向の外側部分）よりも軸Ｌに近い。
【００２８】
図１に示された実施形態において、筆記具１０は、第１バレル１２及び第２バレル１４を含む。第２バレル１４は、消しゴム手段（dispositif de gomme）１８とともに、筆記具１０のクリップ１６を含む。また、筆記具１０は、サイドボタン２０を有する。
【００２９】
図２に示されるとおり、サイドボタン２０は、筆記用先端部２２が長手方向Ｌに後退又は前進するようにスライドする。
【００３０】
説明された実施形態において、筆記用先端部２２は、筆記用カートリッジ２４と一体化して形成されている。筆記具１０は、いかなるタイプのものであってもよく、筆記用先端部２２が筆記用カートリッジ２４と一体化して形成されている筆記具１０に限定されないことに留意すべきである。
【００３１】
この例において、消しゴム手段１８は、リバーシブルの消しゴム支持部２６を含む。消しゴム支持部２６は、各端部のそれぞれに消しゴム２８を収容している。
【００３２】
従来、筆記具は、第１バレル１２に螺合された突出部（un nez）３０を有する。筆記用先端部２２及び筆記用カートリッジ２４は、第１バレル及び突出部３０に収容されている。また、筆記具１０は、筆記用先端部２２を前進させるための前進手段（un dispositif de sortie）３２を有する。前進手段３２は、バネ３４と協働して、筆記用先端部を筆記具１０の突出部３０から前進させる、又は、突出部３０の内部に後退させることができる。
【００３３】
筆記用先端部２２を前進させるための前進手段３２は、サイドボタン２０によって駆動する。サイドボタン２０の一部は、第１バレル１２及び第２バレル１４に収容されている。
【００３４】
サイドボタンは、前進手段３２を収容するための収容部３６と、駆動部３８とを含む。収容部３６は、ロッド４０によって駆動部３８に接続されている。
【００３５】
図５、６Ａ及び６Ｂは、第１バレルの組付端部１２Ａを示す。一般的に、この組付端部１２Ａは、円筒形状であり、スロット４２を含む。スロット４２は、第１バレル１２に形成されており、長手方向Ｌに延びている。スロット４２は、２つの長手方向端４４を有する。
【００３６】
組付端部１２Ａは、２つの環状リブ４６を備えた外側表面１２Ｂを有する。「環状」の語は、リブ４６がリングの一部のみの形状を有している場合であっても用いられる。
【００３７】
図７、８Ａ及び８Ｂは、第２バレル１４を示している。第２バレル１４は、第１バレル１２の組付端部１２Ａと組み付けられるように構成された第２バレル１４の組付端部１４Ａと、消しゴム手段１８を収容するための収容端部１４Ｂと、内側表面１４Ｃとを有する。
【００３８】
第２バレルの組付端部１４Ａ付近において、第２バレル１４は、２つの傾斜部４８と、２つの傾斜部の間に形成された窓部５０とを有する。窓部５０は、長手方向Ｌに延びており、サイドボタン２０をガイドするための少なくとも２つのガイド表面５２を含む。
【００３９】
２つの傾斜部４８は、第２バレル１４の内部に向かって、半径方向Ｒに突出している。
【００４０】
第２バレル１４の内側表面１４Ａは、２つの環状溝５４及び２つの環状ビード（deux bourrelets annulaires）５６を形成している。各環状ビード５６は、対応する環状溝５４の前方に配置されている。
【００４１】
傾斜部４８は、第１バレル１２を第２バレル１４に組み付けるときに、スロット４２の２つの長手方向端４４が周方向Ｃについて次第に離れるように構成されている。例えば、周方向Ｃにおける２つの傾斜部４８の間隔は、長手方向Ｌに沿って第２バレル１４の組付端部１４Ａから収容端部１４Ｂに向かうにつれて増加している。２つの傾斜部４８の間隔は、連続的に増加していてもよく、傾斜部４８の２つの長手方向端部の間に配置された段差(un palier)によって増加していてもよい。
【００４２】
２つのバレル１２及び１４を互いに組み付ける前において、非組付位置（position non assemblee）における２つの傾斜部４８の最大間隔Ｅ１は、スロット４２の２つの長手方向端４４の最大間隔Ｅ２よりも大きいことに留意すべきである。これらの間隔は、周方向Ｃに沿って比較される。
【００４３】
さらに、傾斜部４８は、半径方向Ｒにおける最大厚さｅ１を有する。最大厚さｅ１は、半径方向Ｒにおける第１バレル１２の組付端部１２Ａの厚さｅ２よりも大きい。
【００４４】
また、傾斜部４８は、厚さｅ２以上である半径方向Ｒにおける最小厚さｅ３を有することに留意すべきである。
【００４５】
第１バレル１２を第２バレル１４に組み付けるとき、サイドボタン２０の収容部３６を第１バレル１２に挿入し、サイドボタン２０のロッド４０を第１バレル１２のスロット４２に配置する。サイドボタン２０の収容部３６を第２バレル１４に挿入し、サイドボタン２０のロッド４０を第２バレル１４の窓部５０に配置することも可能である。このようにして、サイドボタン２０の一部は、窓部５０に収容される。
【００４６】
次に、傾斜部４８が第１バレル１２のスロット４２の２つの長手方向端４４の間に配置されるように、第１バレル１２の組付端部１２Ａを第２バレル１４の組付端部１４Ａに挿入する。
【００４７】
第１バレル１２を第２バレル１４に挿入する運動の間、長手方向端４４は、傾斜部４８に圧力を印加することによって傾斜部４８と協働する。環状リブ４６は、第２バレル１４の環状ビーズ５６から応力を受けて変形する。次に、環状リブ４６を環状溝５４に収容させる。環状リブ４６は、第２バレル１４に対して、第１バレル１２を長手方向Ｌに固定するように、環状溝５４と嵌合することによって環状溝５４と協働する。
【００４８】
このように、環状リブ４６及び環状溝５４は、第２バレル１４に対して、第１バレル１２を長手方向Ｌに固定するための手段を形成している。
【００４９】
さらに、２つのバレル１２及び１４を互いに組み付ける前において、２つの傾斜部４８の最大間隔Ｅ１は、スロット４２の２つの長手方向端４４の最大間隔Ｅ２よりも大きく、これらの間隔は周方向Ｃで比較されるため、挿入が終わるときに、傾斜部４８は、スロット４２の２つの長手方向端４４を周方向Ｃについて離れるように移動させ、これにより、環状リブ４６が、対応する環状溝５４の内部の位置でロックされる。
【００５０】
詳細には、スロット４２の２つの長手方向端４４が周方向Ｃについて互いに離間するため、第１バレル１２の組付端部１２Ａの外側表面１２Ｂが有する環状リブ４６は、第２バレルの環状溝５４とますます嵌合する。これにより、固定手段がロックされる。
【００５１】
このように、スロット４２の長手方向端４４及び傾斜部４８は、固定手段をロックするための手段を形成している。
【００５２】
環状リブ４６は、環状溝５４において固定されていることに留意すべきである。
【００５３】
このように、固定手段は、ロック手段によって周方向に変形している。
【００５４】
さらに、半径方向Ｒにおける傾斜部４８の最大厚さｅ１は、半径方向Ｒにおける第１バレル１２の組付端部１２Ａの厚さｅ２より大きいため、傾斜部４８は、長手方向端４４よりも固く、そのため、長手方向端４４は、優先的に周方向Ｃに変形する。ただし、長手方向端４４は、周方向Ｃに向かう応力を各傾斜部４８に印加することができ、これにより、２つの傾斜部４８が互いに近づく傾向がある。
【００５５】
さらに、半径方向Ｒにおける傾斜部４８の最小厚さｅ３は、半径方向Ｒにおける第１バレル１２の組付端部１２Ａの厚さｅ２より大きいため、第１バレル１２を第２バレル１４に挿入する運動の間、長手方向端４４は、窓部５０に対向していない傾斜部４８の領域において、傾斜部４８に圧力を印加することによって傾斜部４８と協働する。
【００５６】
固定手段及びロック手段は、第１バレル１２を第２バレル１４に組み付けるための自己固定組付システムを形成している。
【００５７】
このように、２つのバレル１２及び１４を互いに組み付ける運動は、第２バレル１４に対する第１バレル１２の直線運動であり、これにより、２つのバレル１２及び１４が互いに対して固定され、その後、組み付けが終わるときに固定手段がロックされる。このように、直線運動は、第２バレル１４に対する第１バレル１２の単一の運動である。このように、第２バレル１４に対する第１バレル１２の連続運動において、第２バレル１４に対する第１バレル１２の運動が終わるときに、固定手段がロックされる。
【００５８】
さらに、サイドボタン２０のロッド４０は、ガイド表面５２を有する窓部５０内をスライドできる。ガイド表面５２は、サイドボタン２０の直線運動を長手方向Ｌにガイドすることができる。ロッド４０が窓部５０に収容されているため、サイドボタン４０の一部は、窓部５０に収容されていることに留意すべきである。
【００５９】
本開示は、特定の実施形態を参照して説明されているが、請求項によって定義された発明の一般的範囲を越えることなく、様々な改良及び変更が行われてもよいことが明らかである。さらに、言及した様々な実施形態に固有の特徴を追加の実施形態に組み合わせてもよい。したがって、本明細書及び図面は、限定的なものではなく、説明のためのものであることに留意すべきである。
【００６０】
スロット４２の２つの長手方向端４４は、長手方向Ｌと厳密に平行である必要はなく、例えば、各長手方向端４４が、この長手方向に対して１°よりも小さい又は１°と等しい角度を形成していてもよい。
【００６１】
また、第２バレルがリブを有していてもよく、第１バレルに溝が形成されていてもよいことに留意すべきである。
【００６２】
固定手段及び／又はロック手段は、図１〜８に記載されている実施形態に限定されない。
【図１】
2019509911.tif 000003
【図２】
2019509911.tif 000004
【図３】
2019509911.tif 000005
【図４】
2019509911.tif 000006
【図５】
2019509911.tif 000007
【図６Ａ】
2019509911.tif 000008
【図６Ｂ】
2019509911.tif 000009
【図７】
2019509911.tif 000010
【図８Ａ】
2019509911.tif 000011
【図８Ｂ】
2019509911.tif 000012
【国際調査報告】
2019509911.tif 000013
2019509911.tif 000014
2019509911.tif 000015
2019509911.tif 000016
2019509911.tif 000017
2019509911.tif 000018